(57)【要約】【課題】給送トレイにシートをセットする際の作業性を向上することができるシート搬送装置及び画像記録装置を提供する。【解決手段】シート搬送装置３は、装置本体２と、第１シートトレイ２０ａ及び第２シートトレイ２０ｂと、装置本体２に近接して第１シート搬送経路２７及び第２シート搬送経路２８を装置本体２との間で形成する装着位置と、装置本体２から離間して第１シート搬送経路２７及び第２シート搬送経路２８を形成しない装着解除位置との間で変位可能なシュートカバー６と、装置本体２に設けられ、本体側搬送経路２３へ向けて給送されるシート１８を支持し、シュートカバー６の上方において本体側搬送経路２３との間に隙間２６を設けて配置される背面給送トレイ５と、シュートカバー６の上端面６１に設けられ、シュートカバー６の上端面６１上に堆積した異物を回収する回収部材８とを備える。【選択図】図１
2018165211.tif 000002
【特許請求の範囲】
【請求項１】
装置本体と、
前記装置本体内に設けられシートを収容するシートトレイと、
前記装置本体内に形成され、前記シートが搬送される本体側搬送経路と、
前記装置本体に近接して、前記シートトレイから前記本体側搬送経路へ向けて前記シートを案内するシート搬送経路を前記装置本体との間で形成する装着位置と、前記装置本体から離間して前記シート搬送経路を形成しない装着解除位置との間で変位可能なシュートカバーと、
前記装置本体に設けられ、前記本体側搬送経路へ向けて給送されるシートを支持し、前記シュートカバーの上方において前記本体側搬送経路との間に隙間を設けて配置される給送トレイと、
前記シュートカバーの上端部に設けられ、前記シュートカバー上に堆積した異物を回収する回収部材とを備える、
ことを特徴とするシート搬送装置。
【請求項２】
前記回収部材は、前記シュートカバーが前記装着位置にあるときに、前記本体側搬送経路と前記給送トレイとの間の前記隙間よりも前記給送トレイ側に配置されるとともに、前記装置本体側に開口部が形成される箱形状に形成され、
前記回収部材の開口部は、少なくとも前記シュートカバーが装着解除位置にあるときに、前記回収部材の前記開口部と対向する面よりも上方に位置する、
ことを特徴とする請求項１に記載のシート搬送装置。
【請求項３】
前記シュートカバーは、前記装置本体に下端部を中心として回動可能に支持され、前記下端部を中心として回動することにより、前記装着位置と前記装着解除位置との間で変位する、
ことを特徴とする請求項１又は請求項２に記載のシート搬送装置。
【請求項４】
前記回収部材は、前記シュートカバーに対して着脱可能に設けられる、
ことを特徴とする請求項１〜請求項３の何れか一項に記載のシート搬送装置。
【請求項５】
前記回収部材は前記シュートカバーの上端面に設置され、
前記シュートカバーの上端面における前記回収部材が当接する箇所よりも前記装置本体側の箇所は、前記回収部材における前記シュートカバーの上端面と当接する面よりも上方に位置する、
ことを特徴とする請求項２〜請求項４の何れか一項に記載のシート搬送装置。
【請求項６】
前記回収部材の前記シュートカバーの上端面と当接する面における前記開口部側端部は、前記開口部側へいくに従って前記シュートカバーの上端面に近づくテーパ面に形成される、
ことを特徴とする請求項２〜請求項４の何れか一項に記載のシート搬送装置。
【請求項７】
前記給送トレイの下端面には、前記給送トレイに支持される前記シートを保持するためのストッパが設けられ、
前記給送トレイの下端面における前記ストッパが設けられる部分には、上下方向に貫通する排出孔が形成され、
前記回収部材は前記ストッパの下方に配置され、
前記回収部材の上面における前記排出孔の下方に位置する箇所は開放されている、
ことを特徴とする請求項１〜請求項６の何れか一項に記載のシート搬送装置。
【請求項８】
請求項１〜請求項７の何れか一項に記載のシート搬送装置と、前記シート搬送装置により搬送される前記シートに画像を記録する画像記録部とを備える、
ことを特徴とする画像記録装置。
【発明の詳細な説明】
【技術分野】
【０００１】
本発明は、シートを支持する給送トレイが装置本体に設けられたシート搬送装置及び画像記録装置に関する。
【背景技術】
【０００２】
従来、装置本体内に設けられるシートトレイに収容されるシートを、シート搬送経路を通じて画像記録部に搬送し、画像記録部に搬送されたシートに画像を記録する画像記録装置が知られている。このような画像記録装置においては、特許文献１に示すように、装置本体の背面に設けられ、シートを支持する給送トレイを備えたものがある。
【０００３】
特許文献１に記載される画像記録装置においては、給送トレイから給送されたシートが搬送される本体側搬送経路が装置本体内に形成され、シートトレイに収容されるシートを前記本体側搬送経路へ案内するシート搬送経路を前記装置本体との間で形成するシュートカバーが前記給送トレイの下方に配置されている。
給送トレイに支持されたシートを、装置本体に形成される開口部を通じて本体側搬送経路へ給送して前記シートに画像を形成する際には、給送トレイに堆積した砂塵等の異物が給送されるシートに押し出されて、前記開口部から装置本体内の本体側搬送経路内に進入するおそれがある。本体側搬送経路内に砂塵等の異物が進入するとシートの搬送力が低下して、シートの搬送品質が低下するおそれがあるため好ましくない。
【０００４】
そこで、特許文献１に記載される画像記録装置においては、給送トレイは本体側搬送経路との間に隙間を設けて配置されており、給送トレイから給送されるシートに押し出された砂塵等の異物が給送トレイと本体側搬送経路との間の隙間に落下して、本体側搬送経路に進入しないように構成されている。
【０００５】
また、給送トレイを備えた画像記録装置においては、装置本体における給送トレイが設けられた部分の開口部から装置本体内の本体側搬送経路に砂塵等の異物が進入することを防ぐために、給送トレイのシート支持面を覆う防塵カバーを設け、さらに装置本体と防塵カバーとの間に防塵カバー上に落下した異物を貯留する異物受け溝を設けたものがある（特許文献２参照）。
【先行技術文献】
【特許文献】
【０００６】
【特許文献１】特開２０１４−２０９７１０号公報
【特許文献２】特開２００５−８６６４０号公報
【発明の概要】
【発明が解決しようとする課題】
【０００７】
前述の特許文献１に記載される画像記録装置においては、砂塵等の異物が給送トレイと本体側搬送経路との間の隙間に落下するように構成されているが、前記隙間に落下した異物は、給送トレイの下方に配置されるシュートカバーの上端面に堆積するため、画像形成装置のメンテナンス時にシュートカバーを開放すると、上端面に堆積していた異物が飛散して、本体側搬送経路に進入するおそれがあった。
また、特許文献２に記載される画像記録装置においては、異物受け溝が装置本体に固定して設けられていたため、異物受け溝に貯留した砂塵等の異物を回収する際の作業が煩雑であった。
【０００８】
そこで、本発明においては、装置内に堆積した砂塵等の異物を、飛散させることなく容易に捕集して回収することができるシート搬送装置及び画像記録装置を提供するものである。
【課題を解決するための手段】
【０００９】
上記課題を解決するシート搬送装置及び画像記録装置は、以下の特徴を有する。
即ち、シート搬送装置は、装置本体と、前記装置本体内に設けられシートを収容するシートトレイと、前記装置本体内に形成され、前記シートが搬送される本体側搬送経路と、前記装置本体に近接して、前記シートトレイから前記本体側搬送経路へ向けて前記シートを案内するシート搬送経路を前記装置本体との間で形成する装着位置と、前記装置本体から離間して前記シート搬送経路を形成しない装着解除位置との間で変位可能なシュートカバーと、前記装置本体に設けられ、前記本体側搬送経路へ向けて給送されるシートを支持し、前記シュートカバーの上方において前記本体側搬送経路との間に隙間を設けて配置される給送トレイと、前記シュートカバーの上端部に設けられ、前記シュートカバー上に堆積した異物を回収する回収部材とを備える。
【発明の効果】
【００１０】
本発明によれば、装置内に堆積した砂塵等の異物を、飛散させることなく容易に捕集して回収することが可能となる。
【図面の簡単な説明】
【００１１】
【図１】シュートカバーが装着位置にある状態の複合機を示す一部側面断面図である。
【図２】シュートカバーが装着解除位置にある状態の複合機を示す一部側面断面図である。
【図３】シュートカバーを示す斜視図である。
【図４】シュートカバーの側面断面が現わされた斜視図である。
【図５】シュートカバーの上端面に載置された回収部材を示す側面断面図である。
【図６】シュートカバーの上端面の別実施形態を示す側面断面図である。
【図７】背面給送トレイの底面部分を示す斜視図である。
【図８】背面給送トレイの底面に排出孔が形成されたシート搬送装置であって、背面給送トレイのストッパが通紙位置にある状態を示す側面断面図である。
【図９】背面給送トレイの底面に排出孔が形成されたシート搬送装置であって、背面給送トレイのストッパが止め位置にある状態を示す側面断面図である。
【発明を実施するための形態】
【００１２】
次に、本発明を実施するための形態を、添付の図面を用いて説明する。
【００１３】
[複合機の概略構成]
図１に示す複合機１は、本発明に係る画像記録装置を備えた複合機の一実施形態であり、下部に備えられた前記画像記録装置の一例としてのプリンタ部Ｐと、プリンタ部Ｐの上方に配置されたスキャナ部Ｓとを一体的に備えている。複合機１は、プリンタ機能、スキャナ機能、コピー機能、及びファクシミリ機能等を有しており、プリンタ機能を有するプリンタ部Ｐは、インクジェット記録方式のプリンタに構成されている。
以下の説明では、図１に示すように、複合機１が使用可能に設置された状態を基準として、前後方向、左右方向、上下方向の各方向を規定する。
【００１４】
プリンタ部Ｐにおいては、複合機１に接続されたコンピュータ、デジタルカメラ及びＵＳＢメモリ等の外部機器、並びに複合機１に装着されたメモリーカード等の各種記憶媒体から入力される画像データ等に基づいて、記録部２４により記録用紙等のシート１８に画像等を記録する。記録部２４は、シートに画像等を記録する画像記録部の一例である。
【００１５】
プリンタ部Ｐは略直方体状に形成される装置本体２を有している。装置本体２内には、シート１８を略水平な姿勢で支持する第１シートトレイ２０ａ及び第２シートトレイ２０ｂ、並びに記録部２４が収容されている。第１シートトレイ２０ａ及び第２シートトレイ２０ｂは、シート１８を収容するシートトレイの一例である。
第１シートトレイ２０ａ及び第２シートトレイ２０ｂは装置本体２の下部に収容されており、第２シートトレイ２０ｂは第１シートトレイ２０ａの上方に配置されている。第１シートトレイ２０ａ及び第２シートトレイ２０ｂは前方へ引き出し可能に構成されている
【００１６】
第２シートトレイ２０ｂの上面には排出トレイ２１が形成されている。排出トレイ２１には記録部２４により画像等が記録されたシート１８が排出される。
装置本体２の前面には、複合機１の状態や機能等を表示する表示部及び複合機１に対する入力操作を行う操作部を有した操作パネル２２が設けられている。
【００１７】
装置本体２の後面には、シート１８を支持する背面給送トレイ５が設けられている。
プリンタ部Ｐは、背面給送トレイ５に支持されるシート１８を記録部２４へ搬送するためのシート搬送装置３を備えている。
【００１８】
[シート搬送装置の構成]
図１、図２に示すように、シート搬送装置３は、装置本体２と、第１シートトレイ２０ａ及び第２シートトレイ２０ｂと、背面給送トレイ５と、装置本体２に形成される本体側搬送経路２３と、給送ローラ７と、搬送ローラ２５と、シュートカバー６と、回収部材８とを備えており、背面給送トレイ５に支持されるシート１８を給送ローラ７により一枚ずつ分離して本体側搬送経路２３へ向けて給送する。
【００１９】
背面給送トレイ５は、下方へいくに従って装置本体２側へ近づく方向に傾斜するシート支持面５１を有している。シート１８は、シート支持面５１により傾斜姿勢で支持されている。背面給送トレイ５の下端部には、シート支持面５１に支持されるシート１８の下端が当接する底面５２が形成されている。底面５２は、背面給送トレイ５の下端面の一例である。
背面給送トレイ５の下部におけるシート支持面５１に対向する位置には給送ローラ７が配置されている。
【００２０】
背面給送トレイ５の下端部における底面５２よりも装置本体２側には給送口５３が形成されており、給送ローラ７１により給送されるシート１８は、給送口５３を通じて本体側搬送経路２３へ搬送される。本体側搬送経路２３へ搬送されたシート１８は、搬送ローラ２５により前方へ搬送されて、記録部２４により画像等が記録される。
【００２１】
前後方向において、給送口５３と本体側搬送経路２３との間には隙間２６が存在している。つまり、背面給送トレイ５は、前後方向において、本体側搬送経路２３との間に隙間２６を設けて配置されている。背面給送トレイ５は、本体側搬送経路２３との間に隙間２６を設けて配置される給送トレイの一例である。
【００２２】
シュートカバー６は、装置本体２の後面に設けられており、装置本体２に下端部の回動軸６ａを中心として回動可能に支持されている。シュートカバー６は回動軸６ａを中心として回動することにより、装置本体２に近接する装着位置（図１に示す位置）と、装置本体２から離間する装着解除位置（図２に示す位置）との間で変位可能に構成されている。
【００２３】
シュートカバー６は、装着位置にあるときに、装置本体２との間で第１シート搬送経路２７及び第２シート搬送経路２８を形成する。第１シート搬送経路２７は、第１シートトレイ２０ａから本体側搬送経路２３へ向けてシート１８を案内するシート搬送経路であり、第２シート搬送経路２８は、第２シートトレイ２０ｂから本体側搬送経路２３へ向けてシート１８を案内するシート搬送経路である。
シュートカバー６は、装着解除位置にあるときに、装置本体２との間で第１シート搬送経路２７及び第２シート搬送経路２８を形成しない。
【００２４】
シュートカバー６は背面給送トレイ５の下方に配置されており、シュートカバー６の上端面６１の上方に背面給送トレイ５及び隙間２６が位置している。つまり、背面給送トレイ５はシュートカバー６の上方に配置されている。
【００２５】
図３、図４に示すように、シュートカバー６の上端面６１は、前部上端面６１ａと後部上端面６１ｂとを有しており、前部上端面６１ａは後部上端面６１ｂよりも装置本体側に配置されている。前部上端面６１ａには前後方向に延出する複数のリブ６２が形成されている。リブ６２は前部上端面６１ａから上方へ突出しており、複数のリブ６２は左右方向に並設されている。隙間２６は、前部上端面６１ａの上方に位置している。
後部上端面６１ｂにはリブ６２は形成されておらず、後部上端面６１ｂは平坦な面に形成されている。
【００２６】
シュートカバー６の上端面６１は、前方から後方へいくに従って下降する傾斜面である。上端面６１における前部上端面６１ａは、後部上端面６１ｂよりも傾斜度合の大きな傾斜面を前方に有しており、後部上端面６１ｂは前部上端面６１ａよりも傾斜度合が小さく水平に近い傾斜面を有している。本実施形態の上端面６１においては、前部上端面６１ａと後部上端面６１ｂとの境界部に段差は形成されていない。
後部上端面６１ｂには回収部材８が設置されている。
シュートカバー６の下端部には回動軸６ａが貫通する孔である軸受６３が形成されている。回動軸６ａが軸受６３に貫通することで、シュートカバー６が回動軸６ａにより回動可能に支持されている。
【００２７】
なお、本実施形態においては、シュートカバー６は下端部の回動軸６ａを中心として回動可能に構成されているが、水平方向に移動することにより装置本体２に近接する装着位置と、装置本体２から離間する装着解除位置との間で変位するように構成することも可能である。
【００２８】
[回収部材]
回収部材８は、装置本体２側に開口部８１が形成される箱形状に形成されており、後部上端面６１ｂの左端部から右端部にわたって配置されている。
回収部材８は、シュートカバー６の上端面６１に堆積した砂塵等の異物を捕集する容器であり、開口部８１と対向する面の一例である底面部８２と、後部上端面６１ｂに当接する面の一例である下面部８３と、下面部８３の上方に位置する上面部８４とで囲まれる空間８ａに前記異物を収容可能に構成されている。上面部８４は、回収部材８の上面の一例である。
シュートカバー６の上端面６１に堆積した異物は、開口部８１を通じて回収部材８（空間８ａ）内に進入可能である。
【００２９】
回収部材８は、シュートカバー６が装着位置にあるときに、前後方向において隙間２６よりも後方に位置している。
シュートカバー６が装着位置にあるときには、回収部材８の開口部８１と底面部８２とは略同じ高さ位置に位置しており、シュートカバー６が装着解除位置にあるときには、回収部材８の開口部８１は底面部８２よりも上方に位置している。
【００３０】
本実施形態においては、回収部材８の開口部８１と底面部８２とは、シュートカバー６が装着位置にあるときには略同じ高さ位置に位置するように構成されているが、シュートカバー６が装着位置にあるときにおいても、開口部８１が底面部８２よりも上方に位置するように構成することも可能である。
【００３１】
回収部材８は、シュートカバー６に対して着脱可能に装着されている。この場合、例えば、回収部材８の左右両端部と、シュートカバー６における回収部材８の左右両端部に対応する箇所との一方に係合部を設けるとともに他方に被係合部を設けて、回収部材８がシュートカバー６に装着されているときに、前記係合部と前記被係合部とが係合して、回収部材８がシュートカバー６に固定されるように構成することができる。
【００３２】
このように、回収部材８がシュートカバー６に装着されているときに、回収部材８がシュートカバー６に固定されるように構成することで、シュートカバー６に装着された回収部材８の位置がずれたり、回収部材８がシュートカバー６から不意に脱落したりすることが抑制可能となる。
【００３３】
このように構成されるシート搬送装置３においては、背面給送トレイ５のシート支持面５１や底面５２に砂塵等の異物が堆積している場合があり、シート支持面５１に支持されるシート１８を給送口５３を通じて本体側搬送経路２３へ給送する際に、背面給送トレイ５に堆積している異物が給送されるシート１８により給送口５３を通じて背面給送トレイ５の外部に押し出されることがある。
【００３４】
給送口５３を通じて背面給送トレイ５の外部に押し出された異物は、隙間２６から下方に落下してシュートカバー６の前部上端面６１ａに落下する。
図５に示すように、前部上端面６１ａは後方へいくに従って下降する傾斜面であるため、上端面６１ａに落下した異物は、後方へ移動して開口部８１を通じて回収部材８内に進入することとなる。
つまり、シート搬送装置３においては、シュートカバー６の前部上端面６１ａに落下した異物を、回収部材８により捕集することが可能となっている。
【００３５】
この場合、回収部材８の下面部８３における開口部８１側の端部８３ａは、開口部８１側へいくに従ってシュートカバー６の上端面６１に近づくテーパ面に形成されており、上端面６１と下面部８３との間に段差がないように構成されているため、上端面６１に落下した異物が開口部８１を通じて回収部材８内に進入し易くなっている。従って、上端面６１に落下した異物を容易に回収部材８により捕集することが可能となっている。
【００３６】
回収部材８により捕集した異物をシート搬送装置３の外部に回収する場合は、シュートカバー６を装着位置から装着解除位置に変位させて、回収部材８を外部に露出させた状態とした後に、回収部材８をシュートカバー６から取り外すことにより回収することができる。
このように、回収部材８はシュートカバー６に対して着脱可能に装着されているため、シュートカバー６を装着解除位置に変位させて回収部材８をシュートカバー６から取り外すことにより、回収部材８に捕集された異物を容易に回収することが可能となっている。
【００３７】
また、シュートカバー６を装着位置から装着解除位置に変位させると、前部上端面６１ａの傾斜度合が、シュートカバー６が装着位置にあるときよりも大きくなるため、前部上端面６１ａに堆積している異物が回収部材８側へ移動し易くなる。
従って、シュートカバー６が装着位置にあるときに回収部材８に捕集されずに前部上端面６１ａ上に残存していた異物が、シュートカバー６を装着解除位置に変位させることによって、開口部８１を通じて回収部材８内に捕集されることとなる。
【００３８】
さらに、シュートカバー６が装着解除位置に変位したときには、回収部材８の開口部８１は底面部８２よりも上方に位置するため、回収部材８に捕集された異物は底面部８２側に溜まることとなり、回収部材８内の異物が開口部８１から外部へ飛散することが抑制される。
【００３９】
[シュートカバーの上端面の別実施形態]
図６に示すように、シュートカバー６の上端面６１においては、前部上端面６１ａと後部上端面６１ｂとの境界部に段差を形成して、後部上端面６１ｂが前部上端面６１ａよりも下方に位置するように構成することもできる。
この場合、前部上端面６１ａと後部上端面６１ｂとの境界部の段差の大きさは、後部上端面６１ｂに当接する回収部材８の下面部８３が前部上端面６１ａよりも下方に位置する大きさに設定することが好ましい。つまり、前部上端面６１ａが下面部８３よりも上方に位置するように設定することが好ましい。
【００４０】
このように、回収部材８の下面部８３が前部上端面６１ａよりも下方に位置するように構成することで、前部上端面６１ａに堆積した異物が開口部８１を通じて回収部材８内へ進入する際に、前部上端面６１ａと下面部８３との境界部において段差を乗り越える必要がなく、前部上端面６１ａに堆積した異物を容易に回収部材８内に捕集することが可能となる。
【００４１】
[シート搬送装置の別実施形態]
図７〜図９に示すように、シート搬送装置３においては、背面給送トレイ５の底面５２にシートストッパ５６が設けられている。
シートストッパ５６は、底面５２に形成される凹部５２ａに配置されており、後端部５６ａを中心として回動可能に構成されている。シートストッパ５６は、後端部５６ａを中心として回動することで、前端部５６ｂが下降して底面５２よりも上方へ突出しない通紙位置（図８に示す位置）と、前端部５６ｂが上昇して底面５２よりも上方へ突出する止め位置（図９に示す位置）との間で変位可能となっている。
【００４２】
シートストッパ５６は、シート支持面５１に支持されるシート１８を給送ローラ７により給送口５３を通じて本体側搬送経路２３側へ給送するときに通紙位置に変位して、シート１８を給送し易くするとともに、シート１８を給送しないときには止め位置に変位して、シート支持面５１に支持されるシート１８を保持し、シート１８が給送口５３側へ移動することを抑制するように構成されている。
【００４３】
シートストッパ５６が配置される底面５２の凹部５２ａは、底面５２の他の箇所よりも低位置にあるため、底面５２に堆積した砂塵等の異物が凹部５２ａに滞留し易くなっている。凹部５２ａに異物が滞留すると、シート１８が給送口５３を通じて給送される際に異物が飛散する原因となり得る。
従って、本実施形態のシート搬送装置３においては、凹部５２ａに異物が滞留することを抑制するように構成している。
【００４４】
本実施形態のシート搬送装置３においては、図８、図９に示すように、底面５２の凹部５２ａが形成される部分に、上下方向に貫通する排出孔５２ｂを開口して、凹部５２ａに進入した異物が排出孔５２ｂを通じて背面給送トレイ５の下方へ排出されるように構成している。
【００４５】
背面給送トレイ５の下方には回収部材８が位置しているが、上下方向において、回収部材８の上面部８４における排出孔５２ｂに対応する箇所は開放されている。
つまり、回収部材８の上面部８４における排出孔５２ｂの下方に位置する箇所には開口部８４ａが形成されており、排出孔５２ｂから排出された異物が開口部８４ａを通じて回収部材８内に捕集されるように構成している。
【００４６】
このように構成することで、底面５２の凹部５２ａに進入した異物は、排出孔５２ｂから下方に落下して凹部５２ａから排出され、回収部材８内に捕集されることとなり、凹部５２ａに異物が滞留することを抑制することができる。これにより、シート１８が給送口５３を通じて給送される際に異物が飛散することを抑制することが可能となる。
【００４７】
また、底面５２の凹部５２ａに進入した異物を回収する構成としては、例えば底面５２の凹部５２ａが形成された部分を背面給送トレイ５に対して着脱可能に構成し、底面５２の凹部５２ａが形成された部分をシート搬送装置３から後方へ引き抜くことで、凹部５２ａ内の異物を回収するように構成することも可能である。
【００４８】
[本実施形態における効果]
本実施形態においては、画像記録装置１は以下のようなシート搬送装置３を備えている。つまり、シート搬送装置３は、装置本体２と、前記装置本体２内に設けられシート１８を収容する第１シートトレイ２０ａ及び第２シートトレイ２０ｂと、装置本体２内に形成され、シート１８が搬送される本体側搬送経路２３と、装置本体２に近接して、第１シートトレイ２０ａ及び第２シートトレイ２０ｂから本体側搬送経路２３へ向けてシート１８を案内する第１シート搬送経路２７及び第２シート搬送経路２８を装置本体２との間で形成する装着位置と、装置本体２から離間して第１シート搬送経路２７及び第２シート搬送経路２８を形成しない装着解除位置との間で変位可能なシュートカバー６と、装置本体２に設けられ、本体側搬送経路２３へ向けて給送されるシート１８を支持し、シュートカバー６の上方において本体側搬送経路２３との間に隙間２６を設けて配置される背面給送トレイ５と、シュートカバー６の上端面６１に設けられ、シュートカバー６の上端面６１上に堆積した異物を回収する回収部材８とを備える。
【００４９】
このような構成により、シュートカバー６上に堆積した砂塵等の異物を回収部材８により捕集し、シュートカバー６を装着解除位置に変位させることで、異物を飛散させることなく容易に回収することが可能となる。
【００５０】
また、回収部材８は、シュートカバー６が装着位置にあるときに、本体側搬送経路２３と背面給送トレイ５との間の隙間２６よりも背面給送トレイ５側に配置されるとともに、装置本体２側に開口部８１が形成される箱形状に形成され、回収部材８の開口部８１は、少なくともシュートカバー６が装着解除位置にあるときに、回収部材８の底面部８２よりも上方に位置する。
これにより、シュートカバー６が装着解除位置に変位した際に、回収部材８内に捕集された砂塵等の異物が飛散することを抑制できる。
【００５１】
また、シュートカバー６は、装置本体２に下端部の回動軸６ａを中心として回動可能に支持され、回動軸６ａを中心として回動することにより、装着位置と装着解除位置との間で変位する。
これにより、シュートカバー６が装着解除位置に変位した際に、シュートカバー６上に残存していた砂塵等の異物が回収部材８に捕集されることとなり、砂塵等の異物が飛散することを抑制できる。
【００５２】
また、回収部材８は、シュートカバー６に対して着脱可能に設けられる。
これにより、回収部材８をシュートカバー６から取り外すことにより、回収部材８内に捕集された砂塵等の異物を容易に回収することができる。
【００５３】
また、回収部材８はシュートカバー６の上端面６１に設置され、シュートカバー６の上端面６１における前部上端面６１ａは、回収部材８における下面部８３よりも上方に位置する。
これにより、シュートカバー６の上端面６１に落下した砂塵等の異物を、容易に回収部材８内に捕集することができる。
【００５４】
また、回収部材８の下面部８３における開口部８１側の端部８３ａは、開口部８１側へいくに従ってシュートカバー６の上端面６１に近づくテーパ面に形成される。
これにより、シュートカバー６の上端面６１に落下した砂塵等の異物を、容易に回収部材８内に捕集することができる。
【００５５】
また、背面給送トレイ５の底面５２には、背面給送トレイ５に支持されるシート１８を保持するためのストッパ５６が設けられ、背面給送トレイ５の底面５２におけるストッパ５６が設けられる凹部５２ａには、上下方向に貫通する排出孔５２ｂが形成され、回収部材８はストッパ５６の下方に配置され、回収部材８の上面部８４における排出孔５２ｂの下方に位置する箇所は開放されている。
これにより、背面給送トレイ５の底面５２における凹部５２ａに進入した砂塵等の異物を、回収部材８内に捕集することができる。
【符号の説明】
【００５６】
１    画像記録装置
２    装置本体
３    シート搬送装置
５    背面給送トレイ
６    シュートカバー
６ａ  回動軸
７    給送ローラ
８    回収部材
１８    シート
２０ａ  第１シートトレイ
２０ｂ  第２シートトレイ
２３    本体側搬送経路
２４    記録部
２６    隙間
２７    第１シート搬送経路
２８    第２シート搬送経路
５１    シート支持面
５２    底面
５２ａ  凹部
５２ｂ  排出孔
５６    ストッパ
６１    上端面
６１ａ  前部上端面
６１ｂ  後部上端面
８１    開口部
８２    底面部
８３    下面部
８４    上面部
８４ａ  開口部
Ｐ    プリンタ部
【図１】
2018165211.tif 000003
【図２】
2018165211.tif 000004
【図３】
2018165211.tif 000005
【図４】
2018165211.tif 000006
【図５】
2018165211.tif 000007
【図６】
2018165211.tif 000008
【図７】
2018165211.tif 000009
【図８】
2018165211.tif 000010
【図９】
2018165211.tif 000011